(57)【特許請求の範囲】
【請求項１】
内部に洗浄槽が設けられた筐体と、
前記筐体の側面に設けられ、前記洗浄槽が前記筐体の外部と通じる第１の開口を開閉する第１の扉と、
前記筐体の側面における前記第１の扉の反対側に設けられ、前記洗浄槽が前記筐体の外部と通じる第２の開口を開閉する第２の扉と、
前記洗浄槽内に配置され、前記第１の開口側及び前記第２の開口側の両方向に移動可能に設けられた食器かごと、
前記第１の扉及び前記第２の扉の両扉のそれぞれの開閉状態を検出する扉開閉検出手段と、
前記洗浄槽内の前記食器かごに入れられた被洗浄物を洗浄する洗浄手段と、
前記洗浄手段の動作を制御する制御手段と、を備え、
前記制御手段は、前記扉開閉検出手段により前記両扉のうちの少なくとも一方が開状態にあることが検出されている場合に、前記洗浄手段の洗浄動作を阻止し、
前記第１の扉及び前記第２の扉は、それぞれが水平方向に移動可能に設けられ、
前記食器かごは、前記第１の扉及び前記第２の扉のうち開動作する扉と連動して当該開動作する扉の方向へと移動し、前記第１の扉及び前記第２の扉のうち閉動作する扉そのものに押されて前記洗浄槽内へと移動するとともに、上かごと、前記洗浄槽内で前記上かごの下方に配置される下かごの２つが設けられ、
前記第１の扉は、
前記第１の扉と前記上かごとを一体に移動可能に係合させる第１の上かご係合手段と、
前記第１の扉と前記下かごとを一体に移動可能に係合させる第１の下かご係合手段と、を備え、
前記第２の扉は、
前記第２の扉と前記上かごとを一体に移動可能に係合させる第２の上かご係合手段と、
前記第２の扉と前記下かごとを一体に移動可能に係合させる第２の下かご係合手段と、を備え、
前記第１の扉及び前記第２の扉の両方が同時に前記上かごと係合することを禁止するとともに、前記第１の扉及び前記第２の扉の両方が同時に前記下かごと係合することを禁止する手段を備えた食器洗浄機。
【請求項２】
室内空間をキッチン側とダイニング側とに仕切るように配置される対面式のキッチン台を備え、
前記筐体は、前記第１の扉及び前記第２の扉の両扉の一方がキッチン側に配置され、前記両扉の他方がダイニング側に配置されるように、前記キッチン台に組み込まれて設置される請求項１に記載の食器洗浄機。
【請求項３】
前記キッチン台の上面に設けられた操作パネルを備えた請求項２に記載の食器洗浄機。
【発明の詳細な説明】
【技術分野】
【０００１】
この発明は、食器洗浄機に関するものである。
【背景技術】
【０００２】
従来における食器洗浄機としては、リビング空間とキッチン空間を仕切るように配置した対面型キッチンにおいて、リビング側に開閉部を有した食器洗浄機を備え、食器洗浄機の開閉部がキッチン側にも設けられているものが知られている（例えば、特許文献１参照）。
【先行技術文献】
【特許文献】
【０００３】
【特許文献１】特許第５０２９９５５号公報
【発明の概要】
【発明が解決しようとする課題】
【０００４】
しかしながら、特許文献１に示された従来における食器洗浄機においては、リビング側及びキッチン側の一方側にいる使用者からは他方側の開閉部の状態を視認し難い。このため、リビング側及びキッチン側の一方側の開閉部を閉じても他方側の開閉部が完全には閉まっていないことに気付かずに洗浄を開始してしまう懸念がある。
【０００５】
この発明は、このような課題を解決するためになされたもので、２つの方向から開閉扉を開いて洗浄槽内の食器かごを引き出すことができるとともに、２つの開閉扉の一方が閉まっていない状態で洗浄動作が行われしまうことを未然に防止することができる食器洗浄機を得るものである。
【課題を解決するための手段】
【０００６】
この発明に係る食器洗浄機は、内部に洗浄槽が設けられた筐体と、前記筐体の側面に設けられ、前記洗浄槽が前記筐体の外部と通じる第１の開口を開閉する第１の扉と、前記筐体の側面における前記第１の扉の反対側に設けられ、前記洗浄槽が前記筐体の外部と通じる第２の開口を開閉する第２の扉と、前記洗浄槽内に配置され、前記第１の開口側及び前記第２の開口側の両方向に移動可能に設けられた食器かごと、前記第１の扉及び前記第２の扉の両扉のそれぞれの開閉状態を検出する扉開閉検出手段と、前記洗浄槽内の前記食器かごに入れられた被洗浄物を洗浄する洗浄手段と、前記洗浄手段の動作を制御する制御手段と、を備え、前記制御手段は、前記扉開閉検出手段により前記両扉のうちの少なくとも一方が開状態にあることが検出されている場合に、前記洗浄手段の洗浄動作を阻止し、前記第１の扉及び前記第２の扉は、それぞれが水平方向に移動可能に設けられ、前記食器かごは、前記第１の扉及び前記第２の扉のうち開動作する扉と連動して当該開動作する扉の方向へと移動し、前記第１の扉及び前記第２の扉のうち閉動作する扉そのものに押されて前記洗浄槽内へと移動するとともに、上かごと、前記洗浄槽内で前記上かごの下方に配置される下かごの２つが設けられ、前記第１の扉は、前記第１の扉と前記上かごとを一体に移動可能に係合させる第１の上かご係合手段と、前記第１の扉と前記下かごとを一体に移動可能に係合させる第１の下かご係合手段と、を備え、前記第２の扉は、前記第２の扉と前記上かごとを一体に移動可能に係合させる第２の上かご係合手段と、前記第２の扉と前記下かごとを一体に移動可能に係合させる第２の下かご係合手段と、を備え、前記第１の扉及び前記第２の扉の両方が同時に前記上かごと係合することを禁止するとともに、前記第１の扉及び前記第２の扉の両方が同時に前記下かごと係合することを禁止する手段を備える。
【発明の効果】
【０００７】
この発明に係る食器洗浄機においては、２つの方向から開閉扉を開いて洗浄槽内の食器かごを引き出すことができるとともに、２つの開閉扉の一方が閉まっていない状態で洗浄動作が行われてしまうことを未然に防止することができるという効果を奏する。
【図面の簡単な説明】
【０００８】
【図１】この発明の実施の形態１に係る食器洗浄機の外観を模式的に示す斜視図である。
【図２】この発明の実施の形態１に係る食器洗浄機の全体構成を示す縦断面透視図である。
【図３】この発明の実施の形態１に係る食器洗浄機の各かごロック部の動作を説明するための縦断面透視図である。
【図４】この発明の実施の形態１に係る食器洗浄機を備えたキッチン台を示す図である。
【図５】この発明の実施の形態２に係る食器洗浄機の全体構成を示す縦断面透視図である。
【図６】この発明の実施の形態２に係る食器洗浄機の扉を開いた状態を示す縦断面透視図である。
【発明を実施するための形態】
【０００９】
この発明を添付の図面を参照しながら説明する。各図を通じて同符号は同一部分又は相当部分を示している。同符号の部分についての重複説明は適宜に簡略化あるいは省略する。
【００１０】
実施の形態１．
図１から図４は、この発明の実施の形態１に係るもので、図１は食器洗浄機の外観を模式的に示す斜視図、図２は食器洗浄機の全体構成を示す縦断面透視図、図３は食器洗浄機の各かごロック部の動作を説明するための縦断面透視図、図４は食器洗浄機を備えたキッチン台を示す図である。
【００１１】
図１に示すように、この発明に係る食器洗浄機１００は、筐体１１０を備えている。筐体１１０は、ここでは例えば直方体状を呈する。筐体１１０には、第１の開閉扉１２０及び第２の開閉扉１３０が設けられている。第１の開閉扉１２０及び第２の開閉扉１３０は、筐体１１０の側面における互いに反対側となる位置に配置されている。ここでは、第１の開閉扉１２０は筐体１１０の手前側の面に配置されている。そして、第２の開閉扉１３０は筐体１１０の奥側の面に配置されている。
【００１２】
第１の開閉扉１２０には、開閉する際に使用者が掴むための第１の取っ手部１２１が設けられている。また、第１の開閉扉１２０には、後述する第１の下かごロックボタン１２２及び第１の上かごロックボタン１２３も設けられている。図１での図示は省略しているが、第２の開閉扉１３０についても同様である。また、筐体１１０の上面には、操作パネル１１１が設けられている。
【００１３】
次に、図２を参照しながら、食器洗浄機１００の内部も含めた構成について説明を続ける。筐体１１０の内部には、洗浄槽１１２が設けられている。前述したように、筐体１１０の側面には第１の開閉扉１２０が設けられている。この第１の開閉扉１２０は、洗浄槽１１２が筐体１１０の外部と通じる第１の開口を開閉するものである。
【００１４】
また、同じく前述したように、筐体１１０の側面における第１の開閉扉１２０の反対側には、第２の開閉扉１３０が設けられている。この第２の開閉扉１３０は、洗浄槽１１２が筐体１１０の外部と通じる第２の開口を開閉するものである。すなわち、洗浄槽１１２は別々に設けられた２箇所の開口により外部と通じており、これら２箇所の開口は、それぞれが別の開閉扉で開閉される。
【００１５】
これらの第１の開閉扉１２０及び第２の開閉扉１３０は、それぞれが図示しない扉レールにより略水平方向にスライド移動可能に設けられている。扉レールは略水平方向に伸縮可能になっており、開閉扉は扉レールの先端部に固定されている。このようにして構成されたスライド機構により、第１の開閉扉１２０及び第２の開閉扉１３０は、それぞれが第１の開口部及び第２の開口部を開閉することができる。
【００１６】
すなわち、使用者は、閉状態にある第１の開閉扉１２０の第１の取っ手部１２１を持って、第１の開閉扉１２０を手前に引くことで、前記第１の開口部を開くことができる。同様に、使用者は、閉状態にある第２の開閉扉１３０の第２の取っ手部１３１を持って、第２の開閉扉１３０を手前に引くことで、前記第２の開口部を開くことができる。
【００１７】
洗浄槽１１２内には、被洗浄物を載置するための食器かごが配置されている。食器かごとして、ここでは例えば、下かご１４０及び上かご１５０の２つが備えられている。筐体１１０の下部には、洗浄ポンプ１６１が設けられている。洗浄槽１１２内における下かご１４０の下方には、洗浄ノズル１６２が設けられている。
【００１８】
洗浄ポンプ１６１は、図示しない給水弁を通して外部の例えば蛇口等から流入する水を洗浄ノズル１６２へと圧送する。洗浄ノズル１６２へと圧送された水は、洗浄ノズル１６２の複数の噴射口から洗浄水として上方に噴射される。この際、洗浄ノズル１６２は、洗浄水の噴射の反動で一方向に回転し、下かご１４０及び上かご１５０に載置された被洗浄物を洗浄する。このようにして、洗浄ポンプ１６１及び洗浄ノズル１６２は、洗浄槽１１２内の食器かご（下かご１４０及び上かご１５０）に入れられた被洗浄物を洗浄する洗浄手段を構成している。
【００１９】
洗浄槽１１２の底部、すなわち、洗浄ノズル１６２のさらに下方には、水受け部１６３が設けられている。水受け部１６３には、洗浄ノズル１６２から噴射された洗浄水が貯留される。水受け部１６３は、洗浄ポンプ１６１へと通じている。水受け部１６３から洗浄ポンプ１６１へと通じる中途の箇所には、残菜受け部１６４が設けられている。残菜受け部１６４は、例えばメッシュ状の凹型を呈する容器からなる。この残菜受け部１６４により、水受け部１６３の洗浄水中に含まれる食品カス等の異物を洗浄水から取り除くことができる。残菜受け部１６４は、着脱可能に取り付けられており、残菜受け部１６４を取り外し、溜まった異物を取り除く等のメンテナンスを容易に行うことができる。
【００２０】
洗浄ポンプ１６１は、水受け部１６３に貯留されている洗浄水を再び洗浄ノズル１６２から噴射させて洗浄水を循環させることも可能である。また、水受け部１６３は、排水ポンプ１６５へも通じている。水受け部１６３の不要な洗浄水は、排水ポンプ１６５により外部へと排出される。この際、前述したように、水受け部１６３から洗浄ポンプ１６１及び排水ポンプ１６５へと向かう水からは、残菜受け部１６４により異物が取り除かれる。
【００２１】
洗浄ポンプ１６１及び排水ポンプ１６５の動作は、制御回路１６６により制御される。制御回路１６６は、前記洗浄手段（洗浄ポンプ１６１及び洗浄ノズル１６２）の動作を制御する制御手段を構成している。
【００２２】
食器かごである下かご１４０及び上かご１５０は、それぞれが、前記第１の開口側及び前記第２の開口側の両方向に移動可能に設けられている。すなわち、具体的に例えば、下かご１４０及び上かご１５０は、それぞれが図示しないかごレール上に摺動可能に載置されて、洗浄槽１１２内に配置される。そして、下かご１４０及び上かご１５０のそれぞれは、かごレール上を前記第１の開口側と前記第２の開口側の両方向に移動することができるようになっている。
【００２３】
また、この実施の形態１においては、食器かごである下かご１４０及び上かご１５０は、第１の開閉扉１２０及び第２の開閉扉１３０のうち開動作する扉と連動して当該開動作する扉の方向へと移動することができるようになっている。この目的を達するため、この発明の実施の形態１に係る食器洗浄機１００は、第１の下かごロック部１２４及び第１の上かごロック部１２５、並びに、第２の下かごロック部１３４及び第２の上かごロック部１３５の各ロック部を備えている。
【００２４】
これらのロック部について、さらに図３も参照しながら詳しく説明する。第１の下かごロック部１２４、第１の上かごロック部１２５、第２の下かごロック部１３４及び第２の上かごロック部１３５の各ロック部は、側面視で略Ｌ字型の形状を呈している。第１の下かごロック部１２４及び第１の上かごロック部１２５は、第１の開閉扉１２０の内側の面、すなわち、洗浄槽１１２に対向した面に設けられている。同様に、第２の下かごロック部１３４及び第２の上かごロック部１３５は、第２の開閉扉１３０の内側の面（すなわち、同じく洗浄槽１１２に対向した面）に設けられている。
【００２５】
第１の下かごロック部１２４及び第２の下かごロック部１３４のそれぞれは、略Ｌ字型の短辺側の先端が上方に向けられた状態で、略Ｌ字型の長辺側の先端部が、それぞれの開閉扉の内側の面に取り付けられている。第１の下かごロック部１２４及び第２の下かごロック部１３４は、略Ｌ字型の短辺側の先端が上方に向けられた状態を維持したまま、それぞれの開閉扉に対し上下方向に移動可能に設けられている。
【００２６】
そして、第１の下かごロック部１２４及び第２の下かごロック部１３４は、それぞれが独立してロック位置と非ロック位置との後で移動可能である。ロック位置とは、相対的に上方側であって、下かごロック部の略Ｌ字型の短辺側が下かご１４０の底面部に係合する位置である。非ロック位置とは、相対的に下方側であって、下かごロック部の略Ｌ字型の短辺側が下かご１４０の底面部に係合しない位置である。
【００２７】
使用者が第１の開閉扉１２０に設けられた第１の下かごロックボタン１２２を操作することにより、第１の下かごロック部１２４をロック位置と非ロック位置との間で移動させることができる。同様に、使用者が第２の開閉扉１３０に設けられた第２の下かごロックボタン１３２を操作することにより、第２の下かごロック部１３４をロック位置と非ロック位置との間で移動させることができる。
【００２８】
例えば、使用者が第１の下かごロックボタン１２２を押し込むと第１の下かごロック部１２４が非ロック位置からロック位置へと移動する。この状態では、第１の下かごロック部１２４が下かご１４０と係合するため、第１の開閉扉１２０と下かご１４０とは一体となって移動する。すなわち、使用者が第１の下かごロックボタン１２２を押し込んだまま第１の取っ手部１２１を持って第１の開閉扉１２０を手前に引くと、第１の開閉扉１２０の開動作に連動して、下かご１４０が前記第１の開口部側へと移動し、洗浄槽１１２の外部へと移動する（図２に示す状態）。
【００２９】
第１の下かごロックボタン１２２を押し込むのをやめると、第１の下かごロック部１２４はロック位置から非ロック位置へと戻る。この状態では、第１の下かごロック部１２４は下かご１４０と係合していないため、第１の開閉扉１２０と下かご１４０とは基本的に別々に移動する。すなわち、この状態で使用者がさらに第１の取っ手部１２１を持って第１の開閉扉１２０を手前に引くと、第１の開閉扉１２０のみが開方向（手前）に移動し、下かご１４０は移動しない。
【００３０】
なお、開状態にある第１の開閉扉１２０を押して閉じる場合、下かご１４０を第１の開閉扉１２０そのもので押して、洗浄槽１１２内へと移動させることができる。したがって、第１の開閉扉１２０を押して閉じる場合には、第１の下かごロック部１２４がロック位置にあるか非ロック位置にあるかにかかわらず、第１の開閉扉１２０の移動に伴って下かご１４０を移動させることができる。すなわち、第１の下かごロックボタン１２２を押し込まずとも、第１の開閉扉１２０の閉動作に伴って下かご１４０を洗浄槽１１２内へと移動させることが可能である。
【００３１】
第２の下かごロックボタン１３２及び第２の下かごロック部１３４についても同様に、例えば、使用者が第２の下かごロックボタン１３２を押し込むと第２の下かごロック部１３４が非ロック位置からロック位置へと移動する。この状態では、第２の下かごロック部１３４が下かご１４０と係合するため、第２の開閉扉１３０と下かご１４０とは一体となって移動する。したがって、この状態で使用者がさらに第２の取っ手部１３１を持って第２の開閉扉１３０を手前に引くと、第２の開閉扉１３０の開動作に連動して、下かご１４０が前記第２の開口部側へと移動し、洗浄槽１１２の外部へと移動する。
【００３２】
また、第２の下かごロックボタン１３２を押し込むのをやめると、第２の下かごロック部１３４はロック位置から非ロック位置へと戻る。この状態では、第２の下かごロック部１３４は下かご１４０と係合していないため、第２の開閉扉１３０と下かご１４０とは基本的に別々に移動する。したがって、この状態で使用者がさらに第２の取っ手部１３１を持って第２の開閉扉１３０を手前に引くと、第２の開閉扉１３０のみが開方向（手前）に移動し、下かご１４０は移動しない。
【００３３】
次に、第１の上かごロック部１２５及び第２の上かごロック部１３５のそれぞれは、略Ｌ字型の長辺側の先端部が、それぞれの開閉扉の内側の面に取り付けられている。これらの上かごロック部は、略Ｌ字型の長辺側の先端部を中心にして、それぞれの開閉扉に対し上下両方向に回転可能に取り付けられている。
【００３４】
そして、第１の上かごロック部１２５及び第２の上かごロック部１３５は、それぞれが独立してロック位置と非ロック位置との後で移動可能である。ロック位置とは、上側に回転して、上かごロック部の略Ｌ字型の短辺側の先端が上方を向き、当該短辺側が上かご１５０の底面部に係合する位置である。非ロック位置とは、下側に回転して、上かごロック部の略Ｌ字型の短辺側の先端が側方を向き、当該短辺側が上かご１５０の底面部に係合しない位置である。
【００３５】
使用者が第１の開閉扉１２０に設けられた第１の上かごロックボタン１２３を操作することにより、第１の上かごロック部１２５をロック位置と非ロック位置との間で移動させることができる。同様に、使用者が第２の開閉扉１３０に設けられた第２の上かごロックボタン１３３を操作することにより、第２の上かごロック部１３５をロック位置と非ロック位置との間で移動させることができる。
【００３６】
例えば、使用者が第１の上かごロックボタン１２３を押し込むと第１の上かごロック部１２５が非ロック位置からロック位置へと移動する。この状態では、第１の上かごロック部１２５が上かご１５０と係合するため、第１の開閉扉１２０と上かご１５０とは一体となって移動する。すなわち、使用者が第１の上かごロックボタン１２３を押し込んだまま第１の取っ手部１２１を持って第１の開閉扉１２０を手前に引くと、第１の開閉扉１２０の開動作に連動して、上かご１５０が前記第１の開口部側へと移動し、洗浄槽１１２の外部へと移動する。
【００３７】
第１の上かごロックボタン１２３を押し込むのをやめると、第１の上かごロック部１２５はロック位置から非ロック位置へと戻る。この状態では、第１の上かごロック部１２５は上かご１５０と係合していないため、第１の開閉扉１２０と上かご１５０とは基本的に別々に移動する。すなわち、この状態で使用者がさらに第１の取っ手部１２１を持って第１の開閉扉１２０を手前に引くと、第１の開閉扉１２０のみが開方向（手前）に移動し、上かご１５０は移動しない。
【００３８】
なお、開状態にある第１の開閉扉１２０を押して閉じる場合、上かご１５０を第１の開閉扉１２０そのもので押して、洗浄槽１１２内へと移動させることができる。したがって、第１の開閉扉１２０を押して閉じる場合には、第１の上かごロック部１２５がロック位置にあるか非ロック位置にあるかにかかわらず、第１の開閉扉１２０の移動に伴って上かご１５０を移動させることができる。すなわち、第１の上かごロックボタン１２３を押し込まずとも、第１の開閉扉１２０の閉動作に伴って上かご１５０を洗浄槽１１２内へと移動させることが可能である。
【００３９】
第２の上かごロックボタン１３３及び第２の上かごロック部１３５についても同様に、例えば、使用者が第２の上かごロックボタン１３３を押し込むと第２の上かごロック部１３５が非ロック位置からロック位置へと移動する。この状態では、第２の上かごロック部１３５が上かご１５０と係合するため、第２の開閉扉１３０と上かご１５０とは一体となって移動する。したがって、この状態で使用者がさらに第２の取っ手部１３１を持って第２の開閉扉１３０を手前に引くと、第２の開閉扉１３０の開動作に連動して、上かご１５０が前記第２の開口部側へと移動し、洗浄槽１１２の外部へと移動する。
【００４０】
また、第２の上かごロックボタン１３３を押し込むのをやめると、第２の上かごロック部１３５はロック位置から非ロック位置へと戻る。この状態では、第２の上かごロック部１３５は上かご１５０と係合していないため、第２の開閉扉１３０と上かご１５０とは基本的に別々に移動する。したがって、この状態で使用者がさらに第２の取っ手部１３１を持って第２の開閉扉１３０を手前に引くと、第２の開閉扉１３０のみが開方向（手前）に移動し、上かご１５０は移動しない。
【００４１】
このように、食器かごである下かご１４０及び上かご１５０を、第１の開閉扉１２０及び第２の開閉扉１３０のうち開動作する扉と連動して当該開動作する扉の方向へと移動することができるようにすることで、第１の開閉扉１２０及び第２の開閉扉１３０のいずれについても、開閉扉を開くだけで食器かごも同時に引き出すことができる。また、食器かごが２以上ある場合に、いずれの食器かごを開閉扉の開動作に連動させて引き出すのかを選択できるようにすることで、利便性をさらに向上することが可能である。
【００４２】
図２に示すように、筐体１１０には、第１の扉開閉センサ１７１及び第２の扉開閉センサ１７２が取り付けられている。これらの第１の扉開閉センサ１７１及び第２の扉開閉センサ１７２は、第１の開閉扉１２０及び第２の開閉扉１３０のそれぞれの開閉状態を検出する扉開閉検出手段を構成している。
【００４３】
具体的に例えば、第１の扉開閉センサ１７１及び第２の扉開閉センサ１７２は、マイクロスイッチを用いて実装することができる。この例の場合では、第１の扉開閉センサ１７１としてのマイクロスイッチを、閉状態にある第１の開閉扉１２０により押され、開状態にある第１の開閉扉１２０により押されないような位置に配置する。また、第２の扉開閉センサ１７２についても同様である。
【００４４】
なお、ここでいう「閉状態」とは、第１の開閉扉１２０及び第２の開閉扉１３０により前記第１の開口部及び前記第２の開口部が閉塞された状態を指している。そして、「開状態」とは、「閉状態」でない状態、すなわち、第１の開閉扉１２０及び第２の開閉扉１３０により前記第１の開口部及び前記第２の開口部が閉塞されていない状態を指している。したがって、ここでいう開状態とは全開した状態のみを指しているのではない。
【００４５】
第１の扉開閉センサ１７１及び第２の扉開閉センサ１７２の実装の別の例としては、光電センサを用いることもできる。この場合には、例えば、第１の開閉扉１２０が閉状態にある場合に光電センサの光軸が遮られ、第１の開閉扉１２０が開状態にある場合に光電センサの光軸が遮られないように、第１の扉開閉センサ１７１としての光電センサを設置すればよい。第２の扉開閉センサ１７２についても同様である。
【００４６】
前記制御手段すなわち制御回路１６６は、このようにして設けられた扉開閉検出手段である第１の扉開閉センサ１７１及び第２の扉開閉センサ１７２により第１の開閉扉１２０及び第２の開閉扉１３０のうちの少なくとも一方が開状態にあることが検出されている場合には、前記洗浄手段（洗浄ポンプ１６１及び洗浄ノズル１６２）の洗浄動作を阻止する。
【００４７】
このようにすることで、２つある開閉扉のうちのいずれかが閉状態でない状態で、洗浄動作が行われて、洗浄ノズル１６２から噴射された洗浄水が洗浄槽１１２から筐体１１０の外部に漏れてしまうことを確実に防止することができる。特に、開閉扉が互いに反対側にある場合、一方の開閉扉の側から他方の開閉扉が開いていないか否かを確認し難いことがあるため、より一層の効果を期待することができる。
【００４８】
第１の開閉扉１２０及び第２の開閉扉１３０には、予め定められた一定の場合に、それぞれの開動作を阻止する開動作阻止機構が設けられている。この開動作阻止機構は、例えば、かんぬき等を用いて第１の開閉扉１２０及び第２の開閉扉１３０自体の閉状態からの移動を拘束するようにしてもよいし、あるいは、前述した扉レールの伸縮を禁止するようにしてもよい。
【００４９】
制御回路１６６は、扉開閉検出手段（第１の扉開閉センサ１７１及び第２の扉開閉センサ１７２）により第１の開閉扉１２０及び第２の開閉扉１３０のうちの一方が開状態にあることが検出されている場合に、第１の開閉扉１２０及び第２の開閉扉１３０のうちの他方の開動作阻止機構を動作させる。すなわち、制御回路１６６及び開動作阻止機構は、扉開閉検出手段（第１の扉開閉センサ１７１及び第２の扉開閉センサ１７２）により第１の開閉扉１２０及び第２の開閉扉１３０のうちの一方が開状態にあることが検出されている場合に、第１の開閉扉１２０及び第２の開閉扉１３０のうちの他方の開動作を阻止する同時開阻止手段を構成している。
【００５０】
このようにすることで、第１の開閉扉１２０及び第２の開閉扉１３０が同時に開かれて、同一の食器かごが同時に両方の開閉扉の方へと引き出されようとされてしまうことを確実に防止することができる。
【００５１】
なお、この実施の形態１のように食器かごが２以上ある場合、ある食器かごを一方の開閉扉側へと引き出しつつ、同時に別の食器かごを他方の開閉扉側へと引き出すことができるようにすると利便性をより向上することができる。そこで、前述したような同時開阻止手段を備える代わりに次のようにしてもよい。すなわち、この場合には、第１の下かごロック部１２４と第２の下かごロック部１３４とが同時にロック位置にあることを禁止し、また、第１の上かごロック部１２５と第２の上かごロック部１３５とが同時にロック位置にあることを禁止する手段を設ければよい。
【００５２】
具体的に例えば、まず、第１の下かごロックボタン１２２、第１の上かごロックボタン１２３、第２の下かごロックボタン１３２及び第２の上かごロックボタン１３３のそれぞれが押し込まれているか否かを検知するセンサを設ける。そして、センサにより第１の下かごロックボタン１２２が押し込まれていることが検知されている場合には、第２の下かごロックボタン１３２が押し込まれることを阻止する。また、第１の上かごロックボタン１２３が押し込まれていることが検知されている場合には、第２の上かごロックボタン１３３が押し込まれることを阻止する。第１と第２の関係を逆にした場合も、また同様である。
【００５３】
また、食器かごが２以上ある場合には、これらの食器かごのうちの少なくとも１つの食器かごが前記第１の開口側及び前記第２の開口側の両方向に移動可能に設けられていればよい。したがって、他に前記第１の開口側及び前記第２の開口側の一方向のみしか移動可能でない食器かごが設けられていてもよい。
【００５４】
筐体１１０の上面には、前述したように操作パネル１１１が設けられている。この操作パネル１１１は、使用者が食器洗浄機１００の動作内容を指示する操作を行うための操作部、及び、食器洗浄機１００の動作状況等の各種情報を表示するための表示部を備えている。ここで、使用者は、第１の開閉扉１２０側と第２の開閉扉１３０側の両方から食器洗浄機１００を操作する場合が想定される。そこで、操作パネル１１１の表示部等の表示内容は、なるべく文字を用いずにアイコン、グラフ又はランプ等を活用して第１の開閉扉１２０側と第２の開閉扉１３０側の両方の側から読みやすくすることが望ましい。
【００５５】
なお、以上においては、食器かごである下かご１４０及び上かご１５０が第１の開閉扉１２０側と第２の開閉扉１３０側の両方向に移動可能に設けた構成について説明した。この点については、食器かごだけでなく洗浄槽１１２ごと、すなわち洗浄槽１１２及び当該洗浄槽１１２内の食器かごが、第１の開閉扉１２０側と第２の開閉扉１３０側の両方向に移動できるようにしてもよい。
【００５６】
また、各かごロック部について、ここで説明したＬ字型のフック状部材を用いる代わりに、例えば磁石を利用するようにしてもよい。すなわち、食器かごの全部あるいは一部を金属製にして磁力により第１の開閉扉１２０又は第２の開閉扉１３０と食器かごとを係合させて、開閉扉と食器かごとが一体となって移動するようにしてもよい。
【００５７】
さらに、以上においては、２つの開閉扉が筐体１１０の側面における互いに反対側となる位置に配置した場合について説明し、具体例として直方体状の筐体１１０における手前側の面及び奥側の面のそれぞれに開閉扉を配置したものを挙げた。しかしながら、開閉扉の数及び配置はこれに限られず、複数の開閉扉が筐体１１０の側面における異なる位置に配置されていればよい。具体的に例えば、２つの開閉扉が直方体状の筐体１１０の隣接する側面に配置されていてもよいし、４つの開閉扉が直方体状の筐体１１０の各側面に配置されていてもよい。また、筐体１１０の形状についても直方体に限られない。
【００５８】
次に、図４を参照しながら、以上のように構成された食器洗浄機１００を対面式のキッチン台に組み込んで設置した場合について説明する。この図４に示すように、対面式のキッチン台２００は、室内空間をキッチン側とダイニング側とに仕切るように配置されている。キッチン台２００の上面における一端寄りの位置には、シンク２１０が設けられている。また、キッチン台２００の上面における他端寄りの位置には、コンロ２２０が設けられている。
【００５９】
キッチン台２００には、食器洗浄機１００が組み込まれている。食器洗浄機１００の筐体１１０は、キッチン台２００のシンク２１０とコンロ２２０との間に配置される。そして、第１の開閉扉１２０及び第２の開閉扉１３０は、キッチン台２００の側面に配置される。すなわち、食器洗浄機１００の筐体１１０は、第１の開閉扉１２０及び第２の開閉扉１３０の一方がキッチン側に配置され、第１の開閉扉１２０及び第２の開閉扉１３０の他方がダイニング側に配置されるように、キッチン台２００に組み込まれて設置されている。
【００６０】
このようにすることで、キッチン台２００のキッチン側及びダイニング側の両側から、食器洗浄機１００の食器かごを引き出すことができ、利便性を向上することが可能である。特に、食器洗浄機１００がシンク２１０とコンロ２２０の間に配置されている場合には、シンク２１０の前にいる使用者からもコンロ２２０の前にいる使用者からも食器洗浄機１００を使用しやすくなるという利点がある。しかし一方で、従来のようにキッチン側及びダイニング側の一方にしか食器洗浄機１００の開閉扉がない場合には、開閉扉の反対側にいる使用者は、キッチン台２００を大きく回り込まなければ食器洗浄機１００を使用することができない。
【００６１】
これに対して、図４に示すようにこの発明に係る食器洗浄機１００をキッチン台２００に組み込んだ場合には、前述したようにキッチン台２００の反対側へと回り込むことなくキッチン台２００のキッチン側及びダイニング側の両側から食器洗浄機１００を使用することができ、利便性を大幅に向上することが可能である。
【００６２】
また、図１等に示した食器洗浄機１００では、操作パネル１１１を筐体１１０の上面に配置していたが、この設置例においては筐体１１０はキッチン台２００の内部に組み込まれている。そこで、この設置例においては、操作パネル１１１をキッチン台２００の上面に設けている。このようにすることで、同一の操作パネル１１１を、キッチン台２００のキッチン側及びダイニング側の両側から容易に使用することができる。
【００６３】
なお、操作パネル１１１を、第１の開閉扉１２０側と第２の開閉扉１３０側の両方に設けるようにすることもできる。また、操作パネル１１１に代えて、又は、操作パネル１１１に加えて、同等の機能を備えたリモコン、あるいは使用者が所持するスマートフォン又はタブレット等の携帯端末装置で動作するアプリケーション等を用いるようにしてもよい。
【００６４】
以上のように構成された食器洗浄機は、内部に洗浄槽１１２が設けられた筐体１１０と、筐体１１０の側面に設けられ、洗浄槽１１２が筐体１１０の外部と通じる第１の開口を開閉する第１の開閉扉１２０と、筐体１１０の側面における第１の開閉扉１２０の反対側に設けられ、洗浄槽１１２が筐体１１０の外部と通じる第２の開口を開閉する第２の開閉扉１３０と、洗浄槽１１２内に配置され、前記第１の開口側及び前記第２の開口側の両方向に移動可能に設けられた食器かごである下かご１４０及び上かご１５０と、第１の開閉扉１２０及び第２の開閉扉の両扉のそれぞれの開閉状態を検出する扉開閉検出手段である第１の扉開閉センサ１７１及び第２の扉開閉センサ１７２と、洗浄槽１１２内の食器かごに入れられた被洗浄物を洗浄する洗浄手段である洗浄ポンプ１６１及び洗浄ノズル１６２と、洗浄手段の動作を制御する制御手段である制御回路１６６と、を備えている。そして、制御手段である制御回路１６６は、扉開閉検出手段により前記両扉のうちの少なくとも一方が開状態にあることが検出されている場合に洗浄手段の洗浄動作を阻止する。
【００６５】
このため、筐体に対する２つの方向から開閉扉を開いて洗浄槽内の食器かごを引き出すことができるとともに、２つの開閉扉の一方が閉まっていない状態で洗浄動作が行われて洗浄水が外部に漏れてしまうことを未然に防止することが可能である。よって、使用者は反対側の開閉扉の状態について一々気にすることなく、安心して洗浄を開始させることができる。これは、特に、開閉扉が互いに反対側にあり、一方の開閉扉の側から他方の開閉扉の状態を確認し難い場合に有効である。
【００６６】
実施の形態２．
図５及び図６は、この発明の実施の形態２に係るもので、図５は食器洗浄機の全体構成を示す縦断面透視図、図６は食器洗浄機の扉を開いた状態を示す縦断面透視図である。
【００６７】
ここで説明する実施の形態２は、前述した実施の形態１の構成において、食器かごが第１の開閉扉１２０及び第２の開閉扉１３０のうち開動作する扉と連動して当該開動作する扉の方向へと移動可能とする構成を省略することにより、装置の簡素化を図ったものである。
【００６８】
すなわち、図５に示すように、この実施の形態２においては、実施の形態１で設けられていた各ロック部（図２、３の符号１２４、１２５、１３４、１３５）及びこれらのロック部を移動させるための各ロックボタン（図２、３の符号１２２、１２３、１３２、１３３）は設けられていない。
【００６９】
ただし、実施の形態１と同様に、食器かごである下かご１４０及び上かご１５０は、それぞれが、第１の開閉扉１２０が開閉する第１の開口側、及び、第２の開閉扉１３０が開閉する第２の開口側の、両方向に移動可能に設けられている。
【００７０】
また、この実施の形態２においては、開閉扉の開閉と食器かごの移動とを連動させる必要がないため、開閉扉の開閉形態への制約が少ない。図５及び図６に示す例は、各開閉扉が軸を中心に筐体１１０に対して回転して洗浄槽１１２を開閉するものである。すなわち、第１の開閉扉１２０の下端部は、第１の開閉軸１２６により、筐体１１０に対して両方向に回転可能に取り付けられている。また、第２の開閉扉１３０と同様に、その下端部は第２の開閉軸１３６筐体１１０に対して両方向に回転可能に取り付けられている。
【００７１】
図５の状態において使用者が第１の開閉扉１２０の第１の取っ手部１２１、及び、第２の開閉扉１３０の第２の取っ手部１３１を手前側の斜め下方へと引くと、第１の開閉扉１２０及び第２の開閉扉１３０は、それぞれ第１の開閉軸１２６及び第２の開閉軸１３６を中心にして回転し、図６に示す状態となる。
【００７２】
この図６に示す状態においては、洗浄槽１１２が前記第１の開口及び前記第２の開口を通じて筐体１１０の外部に開放された状態である。そして、この状態において、洗浄槽１１２内の下かご１４０及び上かご１５０は、それぞれが独立して前記第１の開口側及び前記第２の開口側の両方向に移動可能である。
【００７３】
なお、各開閉扉の開閉軸を開閉扉の下端側にすることで、図６に示すように開閉扉を開いた際に、開閉扉が各食器かごよりも下方側に配置される。このため、食器かご中の濡れた被洗浄物から水滴等が落下しても、落下した水滴等を開閉扉に受け止めることができ、床等が汚れることを防止することが可能である。
なお、他の構成については実施の形態１と同様であって、その詳細説明は省略する。
【００７４】
以上のように構成された食器洗浄機は、開閉扉に複雑な構造を必要とすることなく、実施の形態１と同様に、筐体に対する２つの方向から開閉扉を開いて洗浄槽内の食器かごを引き出すことができるとともに、２つの開閉扉の一方が閉まっていない状態で洗浄動作が行われて洗浄水が外部に漏れてしまうことを未然に防止することが可能である。
【符号の説明】
【００７５】
１００  食器洗浄機、  １１０  筐体、  １１１  操作パネル、  １１２  洗浄槽、  １２０  第１の開閉扉、  １２１  第１の取っ手部、  １２２  第１の下かごロックボタン、  １２３  第１の上かごロックボタン、  １２４  第１の下かごロック部、  １２５  第１の上かごロック部、  １２６  第１の開閉軸、  １３０  第２の開閉扉、  １３１  第２の取っ手部、  １３２  第２の下かごロックボタン、  １３３  第２の上かごロックボタン、  １３４  第２の下かごロック部、  １３５  第２の上かごロック部、  １３６  第２の開閉軸、  １４０  下かご、  １５０  上かご、  １６１  洗浄ポンプ、  １６２  洗浄ノズル、  １６３  水受け部、  １６４  残菜受け部、  １６５  排水ポンプ、  １６６  制御回路、  １７１  第１の扉開閉センサ、  １７２  第２の扉開閉センサ、  ２００  キッチン台、  ２１０  シンク、  ２２０  コンロ
【図１】
0006575073.tif 000002
【図２】
0006575073.tif 000003
【図３】
0006575073.tif 000004
【図４】
0006575073.tif 000005
【図５】
0006575073.tif 000006
【図６】
0006575073.tif 000007